(57)【要約】【課題】凍結端子を有する治療子は体内に侵入させて病巣部位の壊死をはかる。かかる治療子の侵入点及び病巣部位たる到達点、そしてそのルートや侵入角度の決定を確実・正確に行いたい。【解決手段】本発明では、侵入点Ｐ１、到達点Ｐ２を設定した後で、このＰ１、Ｐ２点を通る互いに所定の角度（例えば９０°）を有する２つの平面Ｑ１、Ｑ２を選ぶ。２つの平面Ｑ１、Ｑ２での画素値を、実際、被検体のＣＴ断層像データから近似値に求める。この２つの平面Ｑ１、Ｑ２の近似値に求めた画素値からなる算出断層像を表示部に表示させて、Ｐ１、Ｐ２点が正しく設定されたか否かをチェックする。【選択図】図４
2007209651.tif 000002
【特許請求の範囲】
【請求項１】
被検体の撮影で得た断層像を断層平面と直交する方向に重ねて得られる三次元画像データを格納する格納手段と、
上記三次元画像における被検体侵入具の侵入点と被検体内到達点とを設定する手段と、
この侵入点と到達点を通る第１平面、及びこの侵入点と到達点とを通り上記第１平面に所定角度をなす第２平面を設定する手段と、
第１平面と上記三次元画像データの各断層面との交点の画素値、又は交点近傍の画素値から近似した画素値を、第１平面の交点の画素値として決定し、かくして第１平面の断層画像データを算出する第１の算出手段と、
第２平面と上記三次元画像データの各断層面との交点の画素値、又は交点近傍の画素値から近似した新画素値を、第２平面の交点の画素値として決定し、かくして第２平面の断層画像データを算出する第２の算出手段と、
上記算出した第１平面の断層像、第２平面の断層像を表示する表示手段と、
を備える治療子経路表示装置。
【請求項２】
上記所定角度は９０°とする請求項１の治療子経路表示装置。
【請求項３】
上記格納手段は、侵入具の進行時の先端位置をＣＴ撮影・再構成して得た先端位置近傍の複数の断層像を含むものとした請求項１の治療子経路表示装置。
【請求項４】
被検体の撮影で得られた断層像を断層像平面と直交する方向に重ねて得られる３次元画像データを求め、被検体侵入具の侵入点と到達点とを同一平面内に持つ様に定めた画像表示装置。
【請求項５】
被検体の撮影で得られた断層像を断層像平面と直交する方向に重ねて得られる３次元画像データを求め、被検体侵入具の侵入点と到達点とを同一平面内に持つように定めた画像と侵入具の侵入点と到達点とを結ぷ直線を軸として回転して得られる他の画像の２つ以上を表示することの出来る画像表示装置。
【請求項６】
被検体の撮影で得られた断層像を断層平面と直交する方向に重ねて得られる３次元画像データを求め被検体侵入具侵入点と到達点とを結んで得られる直線の３次元画像データとの角度を持った侵入具挿入装置。
【発明の詳細な説明】
【技術分野】
【０００１】
本発明は、被検体内の穿刺して治療等を行う治療子の経路表示装置に関する。
【背景技術】
【０００２】
医療装置の中には、被検体の体内に侵入具（治療子）を侵入（穿刺を含む）させる装置がある。例えば胃カメラ、監視用光ファイバー、組織を切り取って採取する採取具、特定の部位に薬剤を注入する注入具、病巣部位に熱や電磁波などのエネルギーを照射して治療を行う治療具などがある。
こうした侵入具の侵入監視用に透視像をリアルタイムで得て表示して侵入を監視する透視監視法、Ｘ線ＣＴ断層像をリアルタイムで得て二次元又は三次元表示させて侵入を監視するＣＴ監視法がある。
こうした透視監視法、ＣＴ監視法は、術者が画面を見ながら監視し、この監視画像から術者が位置やルートを決定確認しながら、医療を施すやり方をとる。
ＣＴ監視法とは、侵入経路及び患部をＣＴ撮影しながらリアルタイムでＣＴ画像及び又はその三次元化した画像を表示させ、この表示画面を術者が監視しながら侵入具の進行及び治療を行う治療法を指す。ＣＴ監視法は、複雑な部位や身体の深化した部位（肺や心臓、前立腺や膵臓等）での監視に向いている。このＣＴ監視法を使用した最新例として、肺癌組織の壊死をはかる凍結治療法がある。この凍結療法とは、肺癌部位細胞を凍結させ、その後で融解させ、その融解の過程で塩濃度の差の発生等により細胞内を破壊し、細胞死に至らしめるという原理による。凍結と融解には、２つの高圧ガスを使う。高圧のガスは急激に体積を膨張させると、分子の種類により急激に温度を上げるものと、急激に温度を下げるものとがあり、これは物理現学の１つであるJoule-Thompson効果と呼ばれる。そこで、温度を揚げる方に高圧アルゴンガスを、温度を下げる方にヘリウムガスを使用する。治療には、侵入具として中空の金属性の治療子（治療具と同義。ガイドニードルとも呼ばれる）を用いる。ＣＴ監視下で、この治療子を患部まで誘導し、上記２つのガスを交互に中空内から又は中空部の先端から外部へ放出し、熱交換作用を利用して患部への凍結療法を行う。
【０００３】
こうした一般的な凍結療法の文献として、非特許文献１がある。更に、凍結療法に用いる治療子を含む機械系、及びその治療のやり方と実際事例とを解説した文献として、非特許文献２がある。
【非特許文献１】雑誌「医学のあゆみ」（Ｖｏｌ．２０６Ｎｏ．３，２００３．７．１９）。川村他著「肺癌の凍結融解壊死療法」（Ｐ２２９〜Ｐ２３１）。
【非特許文献２】雑誌「低温医学」（３０巻、２００４）。中塚、川村他著「ＣＴ透視を用いた肺悪性腫瘍に対する経皮的凍結療法の実際」（Ｐ９〜Ｐ１５）。
【０００４】
文献２は、治療子の穿刺状態を、リアルタイムでＸ線ＣＴ装置で撮影してこれをリアルタイムで断層画像として再構成して表示させ、手技を行うとしたものである。Ｘ線ＣＴ装置は、マルチスライス撮影であり、一回で多数の断層像を得て表示させる。治療子の進行を監視でき、患部位置への追跡、手技に沿ってほぼリアルタイムで画像としてみることができる。
【０００５】
一方、治療子は、先端が刃物状に突起するステンレス製の二重管（コアキシャルニードル）を使う。治療に当っては、この二重管を体表面にあてがった状態で、二重管の中心軸に沿って長く細い誘導針を挿入し、その誘導針を患部まで穿刺する。次にその誘導針に沿って二重管を患部まで進行させ、更に二重管を進めて腫瘍を貫通させる。
【０００６】
この後で上記誘導針を抜いて、代りに凍結端子本体を二重管内の中空の軸に沿って挿通装填する。この際凍結端子本体の凍結・解凍部位となる端子先端は、二重管の先端のまるみを帯びた内面に当接又は近接した位置とする。凍結端子本体は高圧アルゴンガス注入口と高圧ヘリウムガス注入口へと切替バルブを介してつながる。充填確認後に切替バルブを切替えて高圧ヘリウムガスを注入し、次いで高圧アルゴンガスを注入し、凍結と解凍とを短時間で実行する。このサイクルを複数回繰返すこともある。これらの一連の動作はリアルタイムでのＣＴ画像を表示させてのＣＴ監視下で、観察確認しながら行う。
【発明の開示】
【発明が解決しようとする課題】
【０００７】
凍結端子を含む治療子は事前に定めたルート（経路）に従って行ったり、患部を開いて観察できる状態にしたりして、穿刺を行う。
経路は、侵入点と目標病巣位置（到達点）とを定めた上で決定する。しかし、経路状に血管や他の臓器や骨などの障害物がないことを確認するのは容易ではない。この確認をＣＴ画像や透視像をもとにして行う例もある。
侵入点と到達点とを結ぶ経路を画像上で正確に確認できれば、治療効率につながり、操作者の負担も軽くなる。
【０００８】
本発明の目的は、侵入点と到達点とを結ぶ経路を断層画像上に正確に表示可能な表示装置を提供するものである。
【０００９】
更に本発明の目的は、そのために計測で求めたものでない、経路の判断しやすい新たな断層面と断層像を算出し表示可能とする表示装置を提供するものである。
【課題を解決するための手段】
【００１０】
本発明は、被検体の撮影で得た断層像を断層平面と直交する方向に重ねて得られる三次元画像データを格納する格納手段と、
上記三次元画像における被検体侵入具の侵入点と被検体内到達点とを設定する手段と、
この侵入点と到達点を通る第１平面、及びこの侵入点と到達点とを通り上記第１平面に所定角度をなす第２平面を設定する手段と、
第１平面と上記三次元画像データの各断層面との交点の画素値、又は交点近傍の画素値から近似した画素値を、第１平面の交点の画素値として決定し、かくして第１平面の断層画像データを算出する第１の算出手段と、
第２平面と上記三次元画像データの各断層面との交点の画素値、又は交点近傍の画素値から近似した新画素値を、第２平面の交点の画素値として決定し、かくして第２平面の断層画像データを算出する第２の算出手段と、
上記算出した第１平面の断層像、第２平面の断層像を表示する表示手段と、
を備える治療子経路表示装置を開示する。
【００１１】
更に本発明は、前記所定角度は９０°とする治療子経路表示装置を開示する。
【００１２】
更に本発明は、前記格納手段は、侵入具の進行時の先端位置をＣＴ撮影・再構成して得た先端位置近傍の複数の断層像を含むものとした治療子経路表示装置を開示する。
【００１３】
更に本発明は、被検体の撮影で得られた断層像を断層像平面と直交する方向に重ねて得られる３次元画像データを求め、被検体侵入具の侵入点と到達点とを同一平面内に持つ様に定めた画像表示装置を開示する。
【００１４】
更に本発明は、被検体の撮影で得られた断層像を断層像平面と直交する方向に重ねて得られる３次元画像データを求め、被検体侵入具の侵入点と到達点とを同一平面内に持つように定めた画像と侵入具の侵入点と到達点とを結ぷ直線を軸として回転して得られる他の画像の２つ以上を表示することの出来る画像表示装置を開示する。
【００１５】
更に本発明は、被検体の撮影で得られた断層像を断層平面と直交する方向に重ねて得られる３次元画像データを求め被検体侵入具侵入点と到達点とを結んで得られる直線の３次元画像データとの角度を持った侵入具挿入装置を開示する。
【発明の効果】
【００１６】
本発明の表示装置によれば、侵入点と到達点とを結ぶ２つの経路平面の断層像を観察でき、経路の確認や治療子の侵入の様子がわかるようになった。
【発明を実施するための最良の形態】
【００１７】
本発明を治療子の穿刺経路表示装置の例で説明する。治療子とは、患者の体内に穿刺して病巣部位の治療を行う素子である。例えば肺癌の除去手段として凍結端子本体を内部に有する金属管から成る治療子を使う例がある。かかる治療子は、肺癌病巣部位まで凍結端子を穿刺して、病巣部位に到達後に、凍結端子本体の先端からその周囲に対して凍結と解凍とを繰返して病巣部位を壊死させるものである。
かかる凍結端子、及び凍結端子を含む広義の治療子を使う治療装置に関して、本件出願人は既に特許出願を行っている（特願２００５−３６４６５４、特願２００５−３６４６５９）。
【００１８】
凍結端子を含む治療子の穿刺を行うためには、侵入点としての体内への穿刺入口位置と到達点としての病巣部位到達位置とを特定した上でその両者を結ぶ穿刺経路を決定し、この経路に沿うような挿入角度を与えて、その経路に沿うように治療子の穿刺を行う。
入口位置から病巣部位位置までの治療子の進行は、ＣＴ監視下で行う。ＣＴ監視とは、治療子の存在位置を含むＣＴ断層像をリアルタイムで計測・再構成を行って表示させるものであり、治療子の侵入位置に併せて次々に断層像を得て表示させ、治療子が事前に決定した経路を進んでいるかを監視するものである。
【００１９】
本発明は、かかるＣＴ監視を行うに際して、通常のＣＴ断層像を表示させると共に、侵入点Ｐ１と病巣目標位置即ち到達点Ｐ２とを含む新たな２つの平面Ｑ１、Ｑ２を設定し、この２つの平面Ｑ１、Ｑ２上の全画素値を、上記通常の断層像の画素値から算出する。かくして、断層面Ｑ１、Ｑ２での断層画像データＲ１、Ｒ２を得る。これを画面に表示する。画面上にはＰ１、Ｐ２点が明示的に表示する。平面Ｑ１、Ｑ２とは例えば平面間の角度βが９０°（直交）である。従って、平面Ｑ１の断層像によってＱ１平面上で、治療子がＰ１→Ｐ２への経路をたどっているかを監視できると共に、それに直交する平面Ｑ２上で、Ｐ１→Ｐ２への経路をたどっているかを監視できることになる。
これによって、１つの平面Ｑ１だけではその平面上での動きだけの監視のみであるのに対し、本発明では、互いに直交する平面Ｑ１とＱ２とで立体的に動きを監視することができる。
【００２０】
以下、図面を利用して具体的に説明する。
図１は、被検体１１０と断層面と座標系Ｘ−Ｙ−Ｚとの関係を示す図である。断層面は体軸方向に複数個有し、図では模式的に、ｉ、ｊ、ｋの３断層面を示している。断層面そのものはＸ−Ｙ座標系とし、体軸方向をＺ座標系として、被検体の任意の点は、（Ｘ，Ｙ，Ｚ）の座標系で定義できる。断層面の体軸方向でのピッチは、１ｍｍ以下、例えば１００分の１ｍｍとかである。断層面の画像はＣＴ計測で得たＣＴ画像であり、またピッチを細かくするために補間によって新断層面のＣＴ画像を得る例もある。
【００２１】
図２（ａ）は、治療子の挿入点Ｐ１、及び目標点（到達点）Ｐ２を示した図である。新断層面ＭｋのＰ１点を挿入点、断層面ＭｉのＰ２点を到達点と指定した例を示す。図２（ｂ）が断層面Ｍｋの断層画像上の挿入点Ｐ１、図２（ｃ）が断層面Ｍｉの断層画像上の到達点Ｐ２であり、Ｐ１点は被検体の外皮位置、Ｐ２点は被検体の内部病巣位置に設定した。
図３（ａ）は、点Ｐ１，Ｐ２を新断層面Ｑ１の設定例を示す。当然の事ながら、新断層面Ｑ１は本来のＣＴ断層面（…Ｍｉ、…Ｍｊ、…Ｍｋ、…）と非平行である。図３（ｂ）は、新断層面Ｑ１上での算出画素値から成る新断層像例を示す。ここで、算出画素値とは、新平面Ｑ１でのものであることから、計測したＣＴ断層面（…Ｍｉ、…Ｍｊ、…Ｍｋ、…）の画素値から算出して得たものである。この算出の意味については後述する。
【００２２】
図４（ａ）は、新平面Ｑ１と所定の角度βをなす新平面Ｑ２の設定例を示す。新平面Ｑ２は平面Ｑ１と同じく点Ｐ１とＰ２とを通る平面であり、角度βは、例えば９０°（直交）である。図４（ｂ）は、平面Ｑ１の新断層像、図４（ｃ）は平面Ｑ２の新断層像であり、いずれも算出された画素値より成る。
かかるＰ１とＰ２とを通る互いに角度βをなす２つの新平面Ｑ１とＱ２との新断層像を表示することで、Ｐ１とＰ２との経路がどんなものであるか、その途中に障害物があるかがわかることになり、Ｐ１、Ｐ２の評価が可能となる。また、治療子の挿入角度θの設定及び評価が可能となる。そして、もし、更に別のＰ１、Ｐ２、θの設定が良いと判断されれば、別個にＰ１、Ｐ２、θを設定し直し、同様の表示を行って評価をすればよい。
【００２３】
次に、平面Ｑ１とＱ２との設定を説明する。
Ｑ１とＱ２とが互いに直交する平面であるとすると、平面Ｑ１を定めると、平面Ｑ２は１つしかなく一義的に定まる。然るに平面Ｑ１はＰ１とＰ２とを含む平面であり無数に存在する。そこで、事前に、穿刺経路上にあって侵入の障害物（例えば血管とか骨とか）がなく、経路監視のしやすい平面Ｑ１候補がいくつか存在する。一方、これらの各平面Ｑ１候補についてそれぞれに直交する平面Ｑ２候補が定まる。平面Ｑ２候補にあっても障害物が経路上にないことが必要である。こうしたＱ１とＱ２の各候補の中で、障害物がなく、監視しやすい経路を有する平面をＱ１、Ｑ２として決定する。これらの決定法は、術者によって画面を見ながら行うが、ソフトウェアによって行うやり方もある。
【００２４】
平面Ｑ１とＱ２とは直交させない例もある。例えば適切な直交平面Ｑ２が見いだせなかった場合には、直交平面以外の平面Ｑ２を選ぶ必要がある。また、直交平面以外の角度の平面Ｑ２が経路監視に適した例もある。こうした場合も、平面Ｑ１に対応する所定の回転角度β（≠９０°）の関係にある平面Ｑ２を事前に決定しておく。例えばβ＝６０°の事例では、Ｑ１に対して４個の６０°平面Ｑ２があり、どれかに特定する。
【００２５】
平面Ｑ１とＱ２上での新画素値の算出を図５で説明する。平面Ｑ１はｍ×ｎの画素数のマトリックス構成である。この画素値算出は、ソフトウェアによって自動的に行う。平面Ｑ１とＣＴ断層面との角度は９０°以外の角度αである。穿刺入口Ｐ１が皮膚表面であって病巣位置Ｐ２が内部である故にＰ１とＰ２とを結ぶ平面Ｑ１は、ＣＴ平面に対して９０°以外の角度になるからである。
平面Ｑ１上の画素位置を（Ｊ，Ｋ）とし、ＣＴ断層平面の画素位置を（Ｘ，Ｙ）とし、ＣＴ断層面の体軸方向の座標をＺとする。ＣＴ断層面を手前からＭ１、Ｍ２、…Ｍｎとする。こうしたＣＴ断層面Ｍ１、Ｍ２、…Ｍｎが並んであり、これに角度αで平面Ｑ１がＣＴ断層面Ｍ１、Ｍ２、…Ｍｎを切断（角度αでの交叉）するような関係である。
そこで、その全交叉位置での、Ｑ１平面の座標（Ｊ，Ｋ）とそれに交叉するＣＴ断層面Ｍ１、Ｍ２、…Ｍｎの座標（Ｘ，Ｙ）に、図５の斜線画素位置の如き、画素値があれば、それをＱ１平面の対応座標の画素値とする。座標（Ｘ，Ｙ）に、図５の非斜線画素位置の如き、画素値がない場合が多く、この場合には座標（Ｘ，Ｙ）の周囲２点とか４点とかの画素値から近似算出した近似画素値を座標（Ｊ，Ｋ）の画素値とする。この算出は、平均値とするとか、距離差を考慮した比例配分値とするとかである。算出しないで、最も違い位置の画素値をそのまま利用する例もある。
平面Ｑ２についても同様である。
【００２６】
図６は、本発明の表示装置のシステム図である。表示装置１２０は、共通パス１２５にＣＰＵ１２１、メモリ（Ｍ）１２２、キーボード１２３、表示部１２４をつなげた構成であり、メモリ１２２には、図１に示した如き複数断層面の断層像が格納され、これをキーボード１２３の指示によりＣＰＵ１２１の働きで読み出し、表示部１２４に書く断層像順に表示する。そこから、操作者が表示画面を見て、Ｐ１，Ｐ２点を指示する。書く断層像の順次表示で手間がかかる故に、全断層像を三次元的に表示させて、そこからＰ１，Ｐ２点を指示するやり方もある。
【００２７】
更に、図６では、Ｐ１，Ｐ２点を通る平面Ｑ１、Ｑ２を手動又は自動にて指定する。例えばキーボード１２３で指示する。ＣＰＵ１２１は、この指示を受けて、平面Ｑ１、Ｑ２の新断層像データＲ１、Ｒ２を算出する。
【００２８】
図７は、図６での処理フローを示す、ステップＳ２０でＣＴ画像を取得してメモリ１２２に格納する。ステップＳ２１は、必要な断層面のＣＴ画像を順次表示させて、その中から挿入点となる断層面Ｍｋ、到達点となる断層面Ｍｉを選択し指示する。ステップＳ２２は、その断層面Ｍｋ、Ｍｉ上で点Ｐ１，Ｐ２を指定する。ステップＳ２３では点Ｐ１，Ｐ２を通る第１平面Ｑ１、第２平面Ｑ２を指定し、ステップＳ２４でその画素値を算出し、ステップＳ２４で表示を行う。表示を見て適切な経路か否か判断し、不適切であればステップＳ２１に戻り、適切であれば、Ｍｊ、Ｍｋ、Ｐ１、Ｐ２  、Ｑ１、Ｑ２並びに挿入角度θとして決定する。
【００２９】
病巣部位が複数個点在している例がある。これは、Ｘ、Ｙ、Ｚ軸でみると、Ｐ２の座標Ｘ、Ｙ、Ｚがそれぞれ異なりＰ２１（Ｘ、Ｙ、Ｚ）、Ｐ２２（Ｘ、Ｙ、Ｚ）、Ｐ２３（Ｘ３、Ｙ３、Ｚ３）、…であったりすることであり、基本的にはどれか１点を到達点として定め、他点はＣＴ監視下で治療子を移動させるやり方をとる。この場合、事前にＰ１とＰ２１、Ｐ１とＰ２２、Ｐ１とＰ２３の如き組合せで経路のチェックを、前述の如き新平面、新断層像を造り表示させて行い、全点に関しての障害等チェックを行うことが好ましい。
【００３０】
次に、リアルタイムでのＣＴ画像の形成法について説明する。
ＣＴ断層面Ｍ１、Ｍ２、…Ｍｎのすべてについて治療子の位置いかんを問わず、その都度、計測し再構成する必要はない。治療子の現在位置を中心とするその近辺のみの断層面のＣＴ画像を計測・再構成し、それ以外の断層面のＣＴ画像はそれ迄に得た過去の画像を利用する。例えばある時点での治療子の先端位置をＺｉとしたとき、Ｚｉ近傍のｉ＝ｉ±γの幅内断層面（γは近傍値であり、数個の断層数〜数１０個の断層数となる値である）で計測を行い、断層像を得る。かくして、リアルタイム性を維持してＣＴ計測・再構成が可能となる。
この場合、Ｑ１平面、Ｑ２平面についてのＣＴ断層面の中でｉ＝ｉ±γの断層面がリアルタイム性を維持したＣＴ画素値を提供し、その他の断層面はその時点以前に計測・再構成したＣＴ画素値である。
【００３１】
本発明の治療装置の実施例を説明する。
図８は、治療装置５０の全体構成例図である。治療装置５０は、ＣＴスキャナ５１、画像処理部５２、表示部５３、操作部５４、駆動制御部５５、計画部５６、治療子５７、ガス供給部５８、監視部５９、を具える。
【００３２】
ＣＴスキャナ５１と画像処理部５２と、表示部５３と操作部５４とは、本来のＣＴ装置である。このＣＴ装置を利用して事前に複数の断層像を取得し、三次元画像を形成しておく。複数の断層像から、更にその隙間を埋め合わせるための補間画像を三次元画像として利用する例もある。
【００３３】
ＣＴ装置５１は、穿刺動作時のリアルタイムＣＴ画像を得るのにも利用する。そしてこのリアルタイム画像は、監視部５９での治療子５７の穿刺動作をも併せて重ねて得ており、穿刺の追跡監視・治療監視に利用する。
計画部５６は、画像処理部５２と共同して、事前に得たデータに基づいて、又はこれと治療子５７の形状（及び又は構造）データとに基づいて穿刺開始位置（挿入点）、治療部位（到達点）、その治療子の進行ルートの決定をデータ処理にて行い計画データを作成する。また熱持性や病巣部位物性値（生理値を含む）に基づくガス供給制御法を決定する。
【００３４】
駆動制御部５５は、計画部５６の計画データに基づいて治療子５７の移動等の駆動制御並びにガス供給部５８の供給制御を行い、凍結と解凍との交互動作を行う。
監視部５９は、駆動制御の監視を行う。監視には、ＣＴ画像による監視と制御の仕組みの監視とがある。監視部５９は、表示部５３が兼務してもよい。
ここで、画像処理部５２及び計画部５６の一部が前記経路表示装置に相当する。
。この治療装置５０は、治療子として凍結端子を用いた例であり、凍結端子及びその治療装置については先に示した先願がある。
【００３５】
本発明の治療装置５０は、以下の処理及び動作を行う。
（１）凍結端子の穿刺入口位置Ｐ１と病巣位置Ｐ２とを決定する。この決定は、体軸方向に撮影・再構成した複数のＣＴ断層像から選び、例えば断層面Ｚｉの座標位置（Ｘａ，Ｙａ）をＰ１、断層面Ｚｊの座標位置（Ｘｂ，Ｙｂ）をＰ２とする。選択の仕方は、例えばＣＴ断層像を次々に体軸方向に沿って表示させ、操作者がＺｉ、Ｚｊの断層面、及びその面上の座標としての点Ｐ１、Ｐ２を指定するやり方、又は上記先願と同じく、体軸上に沿う三次元画像の三次元輪郭画像をみて決定する。
（２）点Ｐ１、Ｐ２とを通る平面Ｑ１及びそれに直交する平面Ｑ２、又は所定の角度をなす平面Ｑ２を決定する。
これは画像処理部５２と計画部５６と用いてソフトウェアによる処理を利用する。
（３）駆動制御部５６の働きにより穿刺動作を開始する。その監視は、監視部５９で行う。穿刺動作の監視のために、Ｘ線ＣＴ装置によって、例えばマルチスライス計測（１回で複数断面の撮影を可能にする構造）によりＣＴ撮影・再構成を行いＣＴ断層像を得る。撮影範囲は、凍結端子の先端部近傍であり、凍結端子の穿刺の進行に併せて先端位置が進行し、その進行に応じて先端部近傍を次々にＣＴ撮影・再構成を行いＣＴ断層像を得る。
（４）ＣＴ監視下で得た最新断層像は、監視部５９によって、メモリに記憶させた上で次々に表示部５３に表示して進行の監視に利用する。これと併せて、画像処理部５２と計画部５６とで、本願発明の特徴の１つである上記（２）で決定したＱ１、Ｑ２平面上でのＣＴ画素値を算出し、Ｑ１、Ｑ２平面上の画素位置（座標位置）対応に埋め込み断層像Ｒ１、Ｒ２を得、これを表示装置に表示する。
この断層像Ｒ１、Ｒ２を得るに際して、凍結端子の先端近傍に含まれる複数の断層面は、リアルタイムで得た断層画像を持つものであり、それ以外の断層面はそれ以前に得られた断層画像を持つものである。ここで、以前の断層像とは、穿刺動作に入る前に撮影して得た断層像又は先端位置の進行時にその先端位置よりも手前側で撮影して得た直前の断層像を含む。
（５）かくして、凍結端子の穿刺の経路を、最新のＣＴ断層像及びＱ１、Ｑ２平面上での断層像が表示されることで、リアルタイムで監視できる。もし、経路をずれる様子があれば最新の断層像及びＱ１、Ｑ２平面上の断層像をみて凍結端子の方向の修正が可能となる。例えばＱ１平面上で距離にして２ｍｍずれとかＱ２平面上で距離にして３ｍｍずれとかの判断が可能となり、それを正しい経路に戻す操作を、凍結端子に行う。凍結端子がアクチュエーターで自動的に動くのであれば、その修正動作指令を与えたり、操作者の手動で行っているのであれば、手動操作で正規経路に戻す。
【００３６】
本発明は、穿刺経路計画の作成や確認用にも使用できるので、以下説明する。
経路計画の作成や確認用では、リアルタイム性は不要であるので、すべて作成や確認のために事前に撮影・再構成した断層像を使う。こうした断層像を記憶装置に格納させた上で、Ｐ１、Ｐ２とを通る２つの平面Ｑ１、Ｑ２の断層像を作成（算出）し表示させて、Ｐ１、Ｐ２との確定を行う。ここで、Ｐ２は病巣部位であるため固定であり、従ってＰ１をどこに設定するかがポイントである。かかる適切なＰ１を売るために平面Ｑ１、Ｑ２の断層像を作成表示させ、探索し確定する。以上は作成用であるが、別法により作成したＰ１とＰ２との経路確認時にも、同様の表示を行って適切な設定であるか否かを確認できる。
以上の実施例では、凍結端子の事例としたが、それ以外の治療子、例えば患部をはぎとってくる、検査や治療のための素子、患部の監視のために侵入する素子（超小型カメラや光ファイバー端子）、超音波は電磁波などのエネルギーを患部に照射する素子、等種々のものに適用できる。
【００３７】
図９は、凍結端子を治療子とする治療装置の処理フローを示す。ステップＳ１では、ＣＴ画像データを体軸方向に沿って複数枚（数１０枚以上）取得する。これはＣＴ装置による。また事前にＣＴ装置で取得してメモリに格納した被検体のメモリへの格納画像を用いることもある。
ステップＳ２は、侵入用パラメータである挿入点、治療対象である病巣部位の目標点、挿入角度より成る治療子パラメータを決定する。このステップＳ２では、本願発明の穿刺経路表示装置を利用する。
ステップＳ３は、そのパラメータを用いての実際の穿刺及び治療の動作を行う。治療に際しては、病巣目標点に到達したならば凍結と解凍とを凍結端子の先端部で繰返させて病巣の壊死を行う。この動作は、自動、半自動、手動のいずれでもよい。
【００３８】
図１０は、凍結端子である治療子１００の概略図である。治療子１００は、二重管（一重管の例もある。以下同じ。）１と凍結端子本体２、及びそれにつながる管路６、切替バルブ５、高圧ヘリウムガス供給源３、高圧アルゴンガス供給源４、より成る。管１の長さＬ１、凍結端子本体２の外部露出部の長さＬ２とすると、この治療子１００は略（Ｌ１＋Ｌ２）の長さの直線成分と考えてよく、かかる直線成分を刃物状の最先端２０Ｂから挿入点Ｐ１から病巣部位の一点である目標点Ｐ２にまで侵入させてゆくことを想定して、その時の挿入角度θ，Ｐ１，Ｐ２，Ｐ１→Ｐ２（ルート）を算出できる。
【００３９】
凍結端子１００の二重管の先端部に方向によって熱持性を異ならしめた例を図１１、図１２に示す。管の先端は、凍結と解凍との２つの動作部位であり、いわゆる熱交換機能を果たす。癌病巣である病巣部位も種々の形状を有し、どのような方向から穿刺するのが効率的凍結法であるかも重要な検討事項である。更に病巣に近接する正常組織を凍結・解凍（特に凍結）から保護する必要もある。そこで方向性のある熱の指向特性に大小を持たせて病巣部位に応じた集中的に熱エネルギー付与のための熱分布特性を与える。これが図１２に示す管の実施例図である。
【００４０】
図１１（ａ）は、二重金属管１の最先端２０Ｂの直前の先端部２０Ａの周囲の一部を突起させて突起部２０を設けた例である。その矢印断面は、図１１（ｂ）に示すように外方に向かって丸みを帯びた形状であり、その熱指向特性は図１１（ｃ）となる。先端部２０Ａの最先端２０Ｂは穿刺の先端で刃物状であり、穿刺しやすく、且つ深部方向に熱指向特性を持たせるようにする例もある。
【００４１】
図１２（ａ）は、先端部２０Ａに、２つの突起部２１，２２を持たせて熱指向特性を細長くさせた例である。これによって、図１２（ｂ）に示すようにｙ方向の（＋）方向に鋭い熱指向特性を持たせた。
先端部２０Ａ及び２０Ｂは、凍結・解凍に関与する部位である。
【００４２】
図１３に、この先端形状に特徴を持つ治療子の使用例を示す。図１３（ａ）は、球形状の癌病巣２３の側面に治療子１００を穿刺させて癌病巣２３をその指向特性に基づいて熱エネルギーを与えて壊死させる例を示す。この癌病巣２３は、組織的にしっかりした例であり、病巣２３に直接穿刺させるよりは囲りから壊死させるに適したものである。
図１３（ｂ）は癌病巣２４の内部左側に穿刺し、右側への方向性を持つ治療子１００で治療させた例である。これも、病巣全体の壊死に役立つ。
図１３（ｃ）は、血管２４が近くにあり、この血管２４から遠ざけて病巣２３を治療を行なうときの事例である。血管２４の反対側（右側）に治療子１００を穿刺した。これは、血管を傷つけないことの他に、血管の温度の治療への影響を少なくしたいこと、の目的を持つ。図１３（ｄ）は、２つ以上の治療子１００Ａ，１００Ｂを用いて、病巣２３の両側に穿刺して同時治療を行なった例である。図１３（ｄ）は、病巣サイズが大きい事例に効果を持つ。
【００４３】
以上の各実施例で、突起形状の種類や態様は、どのような指向特性を持たせるかで定まる。突起形状の代わりに内側方向に凹部を持たせるやり方もある。指向特性を実現する突起形状（凹部を含む）は、計算機によって求めることができる。種々の突起形状の管を用意しておき、病巣や治療の目的に沿って使い分けるやり方もある。
【００４４】
図１４（ａ）は、二重管の他の実施例図である。図１１では、固定突起形状化したが、図１４では可動翼３０を二重管１の外部側面に沿って設けておき、この可動翼３０を、管の先端部まで図１４（ｂ）の如く移動させ、図１１の如き突起状形状化させる。可動翼３０は例えばスプリングで移動させる。これは、例えば凍結端子の進行に応じてスプリングを凍結端子に連動させるやり方をとる。この場合、可動翼３０が人体を傷つけないように周囲に丸みを作っておく。
使い方は、人体挿入時には、図１４（ａ）の如くしておき、患部到達時に図１５（ｂ）の如く移動させて使う。
【００４５】
図１５は、凍結端子本体２の途中に操作に便となる操作（タッチ）部２１Ａを設けた実施例を示す。タッチ部２１Ａは手で握れる程度の大きさがあればよく、例えば端子本体２の直交方向に若干延びたバー形状体である。タッチ部２１Ａによって、凍結端子本体２の進行、端子自体の回転（Φ）を確実に行える利点がある。このタッチ部にアクチュエーターをつけておくことで、自動化、半自動化の操作が可能となる。
【００４６】
図１６は凍結端子の具体例図である。４０が凍結端子本体であり、熱伝導性の低い素材、例えば金属より成り、その内部には、熱交換機構４１を持つ。切替バルブ５を介して高圧ガスが流入し、その先端開放部４２から本体４０の内側に放出し外部へ排気を行う。尚、３１、３２は各ガス毎のコックである。
【００４７】
温度特性（温度変化）について説明する。
その具体例を図１７に示す。図１７（ａ）は、凍結ピーク温度と解凍ピーク温度とを同一絶対値Ｔ１（実際には凍結時−Ｔ１、解凍時＋Ｔ１）とした１サイクル例である。両者で熱エネルギーが相殺されることが好ましいため、凍結時と解凍時との（温度）×（時間）で定まる面積は同一面積（Ｓ１）とする。図１７（ｂ）は、凍結ピーク温度と解凍ピーク温度との絶対値をＴ１、Ｔ２（Ｔ１>Ｔ２）とした例である。Ｔ１>Ｔ２の故に、同一面積Ｓ１の達成のために、解凍期間を凍結期間よりも大きくとる。尚、１７（ａ）、（ｂ）の変形例として、凍結１回、解凍２回で１サイクルの如き例もありうる。
図１７（ｃ）は凍結と解凍との２サイクル供与例である。３サイクル以上の例もある。
尚、面積を凍結と解凍とで同一としたが、病巣の壊死という目的達成が得られるのであれば、厳密な同一性は必要ない。人間の治療部位には３８℃とかの体温がある故に、かかる体温を考慮して、実際の温度特性を定めることが多い。
かかる種々の温度特性（温度変化）を実現するためには、治療子１００へのヘリウムとアルゴンとの両者のガス供給を、量と時間とをパラメータとして制御すればよい。
【００４８】
温度特性（温度変化）の実現化及びガス供給制御法の決定について説明する。
i．被検体病巣部位の比熱、導伝率などの熱的定数及び体積重量を取り入れた病巣部位の形状などの物理的定数を考慮して、その物体の温度の時間変化を決定する。
ii．被検体の熱的定数、物理定数を考慮した侵入具到達点周辺の時間に対する温度変化を計算し、設定温度に対する動的変化又は動的変化に至る設定時間を決定し得る如く定める。
iii．この定めた到達点近傍の熱的時間変化について設定目的の温度変化となる様に侵入具の回転角を決定する。
iv．書く熱持性の異なる複数の侵入具の挿入に対する、到達点部位及びその近傍周辺の部位の熱的温度の時間変化を決定する。
v．この複数の熱的方向性を有した侵入具が上記決定された幾可学的定数のもとで侵入具が到達点及びその近傍において熱的温度の時間変化を繰り返し、試験操作を行いその結果から被検体への侵入開始位置、侵入具の輪郭上の到達点、侵入方向、侵入具の角度及び回転角、開始位置から到達点までの進行ルート、の少なくともいずれか１つを求め決定しかつ周辺物体の温度分布及び時間変化を決定する。
vi．上記侵入具の先端に装備された熱交換器の発熱、吸熱を切換えるガス流入路のガス切換えスイッチを到達点近傍の定められた温度変化になるようなガス量と供給シーケンス（タイミング）とのガス供給制御法を求める。治療時には、侵入用パラメータに従って穿刺を行い、治療部位到達後には上記ガス供給制御法によってガス供給を行う。
【００４９】
図１８は、温度特性を考慮した処理フローを示す。図９に比べて、ステップＳ２とＳ３との間に新たなステップＳ５、Ｓ６、Ｓ７を付加した。ステップＳ５では、前述の温度特性の決定、及びそれに基づくガス供給制御法の算出を行う。ステップＳ６はステップＳ２、Ｓ５８で算出したパラメータ、温度特性、並びにガス供給制御法に基づく治療シミュレーションを行う。シミュレーションの結果、治療効果がないとの判定であればステップＳ２へ戻る。治療効果があるとの判定であればステップＳ７へ進み、最終決定を行う。
【図面の簡単な説明】
【００５０】
【図１】本発明の座標系と断層面との説明図である。
【図２】本発明の侵入点と到達点と断層面との関係を示す図である。
【図３】本発明の侵入点と到達点とを通る新断層面Ｑ１の説明図である。
【図４】本発明の侵入点と到達点とを通る、互いに角度βを有する新平面Ｑ１、Ｑ２の説明図である。
【図５】本発明の新平面Ｑ１、Ｑ２での画素位置での画素値マトリックス図である。
【図６】本発明の表示装置全体構成例図である。
【図７】本発明の新平面Ｑ１、Ｑ２を作り表示するための処理フロー例図である。
【図８】本発明の治療装置の全体構成例図である。
【図９】本発明の治療装置での処理フロー例図である。
【図１０】本発明の侵入具としての凍結端子のモデル図である。
【図１１】本発明の侵入具としての凍結端子の管の実施例図である。
【図１２】図１１に代える別実施例図である。
【図１３】本発明の凍結端子の使用例図である。
【図１４】図１１、図１２に代わる別実施例図である。
【図１５】図１０の別例を示す図である。
【図１６】本発明の凍結端子の具体例図である。
【図１７】本発明の凍結端子での凍結と解凍とのサイクル例図である。
【図１８】本発明の治療装置の別処理フロー例図である。
【符号の説明】
【００５１】
１    １重又は２重の金属管
２    凍結端子本体
１００    治療子
１１０    被検体
【図１】
2007209651.tif 000003
【図２】
2007209651.tif 000004
【図３】
2007209651.tif 000005
【図４】
2007209651.tif 000006
【図５】
2007209651.tif 000007
【図６】
2007209651.tif 000008
【図７】
2007209651.tif 000009
【図８】
2007209651.tif 000010
【図９】
2007209651.tif 000011
【図１０】
2007209651.tif 000012
【図１１】
2007209651.tif 000013
【図１２】
2007209651.tif 000014
【図１３】
2007209651.tif 000015
【図１４】
2007209651.tif 000016
【図１５】
2007209651.tif 000017
【図１６】
2007209651.tif 000018
【図１７】
2007209651.tif 000019
【図１８】
2007209651.tif 000020